(57)【特許請求の範囲】
【請求項１】
竪樋を抱持する抱持部にスライド片が延設された抱持部材と、建物の壁などに固定される取付部に取付片が延設された取付部材と、これらスライド片と取付片とが進退調節可能に連結されてなる竪樋支持具において、
上記スライド片又は取付片の一方には、側壁に凹凸部を設けた長孔が形成されると共に、他方には、上記凹凸部に係合される係止爪片を備えたロックレバーが一体的に形成されてなり、
上記ロックレバーには、これを上方及び下方の方向から変形させて、その係止爪片を上記スライド長孔の凹凸部に係合又は離脱可能な操作部が形成してあり、
上記ロックレバーを変形させて、その係止爪片を上記長孔の凹凸部に係合又は離脱させ、上記抱持部材を所望の位置で固定させる構造とした竪樋支持具。
【請求項２】
請求項１において、
上記ロックレバーは、変形自在な部材で形成され、且つ上記長孔の凹凸部に係合される係止爪片が離脱状態に形成されている竪樋支持具。
【請求項３】
請求項１において、
上記ロックレバーは、バネ性のある部材で形成され、且つ上記長孔に係合される係止爪片が係止状態に形成されている竪樋支持具。
【発明の詳細な説明】
【０００１】
【発明の属する技術分野】
本発明は、竪樋を抱持する抱持部材のスライド片と、建物の壁などに固定される取付部材の取付片とが進退調節可能に連結されてなる竪樋支持具に関する。
【０００２】
【従来の技術】
図５は、従来の竪樋支持具を示す分解斜視図である。
【０００３】
この竪樋支持具１００は、竪樋Ｔを抱持する抱持部１１１にスライド片１２１が延設された抱持部材１０１と、建物の壁などに固着される取付部１１２に取付片１２２が延設された取付部材１０２とを備え、これらスライド片１２１と取付片１２２とがロック手段１０３によって進退調節可能に連結されてなる。
【０００４】
このロック手段１０３は、ボルト軸１３１と蝶ナット１３２で構成されており、ボルト軸１３１が、スライド片１２１に形成された軸孔１４１と、取付片１２２に形成された長孔１４２を通じて蝶ナット１３２に螺合されており、この螺合された蝶ナット１３２を弛めれば、抱持部材１０１を所望の位置にスライドでき、その位置で蝶ナット１３２を締付ければ、抱持部材１０１のスライド片１２１を取付片１２２に圧接させて固定できる。
【０００５】
【発明が解決しようとする課題】
しかし、従来の竪樋支持具１００のロック手段１０３は、蝶ナット１３２を締付け或いは弛めるという螺合構造によるものであった。
【０００６】
そのため、抱持部材１０１を所望の位置にスライドするには、蝶ナット１３２を弛め、これを締付けるという手間を要し、抱持部材１０１の進退調節を行うことが面倒であるという問題があった。
【０００７】
また、ボルト軸１３１と蝶ナット１３２で構成されたロック手段１０３は、スライド片１２１或いは取付片１２２と別形成されているため、部品点数が増し、その構造が複雑であるという問題もあった。
【０００８】
本発明は、かかる課題を解決することを目的とするもので、抱持部材のスライドをワンタッチで固定でき、しかも簡易な構造の竪樋支持具を提供する。
【０００９】
【課題を解決するための手段】
上記目的を達成するため、
請求項１に係る竪樋支持具は、竪樋を抱持する抱持部にスライド片が延設された抱持部材と、建物の壁などに固定される取付部に取付片が延設された取付部材と、これらスライド片と取付片とが進退調節可能に連結されてなる竪樋支持具において、上記スライド片又は取付片の一方には、側壁に凹凸部を設けた長孔が形成されると共に、他方には、上記凹凸部に係合される係止爪片を備えたロックレバーが一体的に形成されてなり、上記ロックレバーには、これを上方及び下方の方向から変形させて、その係止爪片を上記スライド長孔の凹凸部に係合又は離脱可能な操作部が形成してあり、上記ロックレバーを変形させて、その係止爪片を上記長孔の凹凸部に係合又は離脱させ、上記抱持部材を所望の位置で固定させる構造としている。
【００１０】
請求項１では、スライド片又は取付片の一方には側壁に凹凸部を設けた長孔が形成されると共に、他方には、上記凹凸部に係合される係止爪片を備えたロックレバーが一体的に形成されている。
【００１１】
そのため、ロックレバーを変形させて、その係止爪片を長孔の凹凸部に係合又は離脱させれば、抱持部材を所望の位置にワンタッチで素早く且つ簡単に固定することができる。
【００１２】
また、ロックレバーは、スライド片又は取付片の他方と一体的に形成されているので、ロックレバーを極めて簡易な構造にすることができる。
さらに、ロックレバーには、上方及び下方の方向からでも操作可能な操作部が形成してあるので、取付場所に応じてロックレバーを上、下何れからでも容易に操作させることができる。
【００１３】
請求項２に係る竪樋支持具は、請求項１において、上記ロックレバーは、変形自在な部材で形成され、且つ上記長孔の凹凸部に係合される係止爪片が離脱状態に形成されている。
【００１４】
請求項２では、ロックレバーが変形自在な部材で形成されており、且つ、その係止爪片が長孔の凹凸部と離脱状態に形成されているため、抱持部材を所望の位置にスライドした後、ロックレバーを変形させて、その係止爪片を長孔の凹凸部に係合させ、抱持部材を所望の位置で固定させることができ、請求項１同様の効果を得ることができる。
【００１５】
請求項３に係る竪樋支持具は、請求項１において、上記ロックレバーは、バネ性のある部材で形成され、且つ上記長孔に係合される係止爪片が係止状態に形成されている。
【００１６】
請求項３では、ロックレバーがバネ性のある部材で形成されており、且つ、その係止爪片が長孔の凹凸部と係止状態に形成されているため、ロックレバーを変形させて、抱持部材を所望の位置にスライドした後、その係止爪片を長孔の凹凸部に係合させ、抱持部材を所望の位置で固定させることができ、請求項１同様の効果を得ることができる。
【００１７】
（削除）
【００１８】
（削除）
【００１９】
【発明の実施の形態】
以下、本発明に係る竪樋支持具Ａを図面に基づき説明する。
【００２０】
図１は、本発明に係る竪樋支持具の分解斜視図、図２は、組み立てた状態の竪樋支持具の部分縦断面図である。
【００２１】
この竪樋支持具Ａは、竪樋Ｔを抱持する抱持部１１にスライド片１２が延設された抱持部材１と、建物の壁などに固着される取付部２１に取付片２２が延設された取付部材２と、これらスライド片１２と取付片２２とを進退調節可能に連結してスライド自在とし、その抱持部材１を所望の位置で取付部材２に固定可能としたロックレバー３とより成る。
【００２２】
抱持部材１の抱持部１１は、リング状或いは略半円状に形成されて竪樋Ｔを抱持している。但し、抱持部１１は、竪樋Ｔの形状に応じて、これを抱持するものであれば足り、その形状は、適宜選択される。
【００２３】
また、スライド片１２は、抱持部１１に一端が固着された基板１２ａの両側に、下方に向けて突出させたガイド片１２ｂが形成されており、このスライド片１２の基板１２ａには、長手方向に向けて、側壁に波状或いは鋸刃状の凹凸部１３を備えた長孔１４を形成している。
【００２４】
このようなガイド片１２ｂを形成して、取付部材２の取付片２２と嵌合させて連結すれば、両者の回転を防止でき、抱持部材１が横回転することなく、スムーズにスライドを行うことができる。
【００２５】
取付部材２は、建物の壁などに固定される取付部２１の前方に向けて取付片２２を延設し、この取付片２２の前端側には、凹凸部１３に係合される係止爪片３１を備えたロックレバー３が一体的に形成されている。
【００２６】
また、取付部材２の取付片２２の両側には、スライド片１２のガイド片１２ｂを外装する同様のガイド片部２２ｂが形成され、この下端には、内側に折り曲げされたリブ片２２ｃを形成して、ガイド片１２ｂが落下することなく取付片２２に嵌挿できるようにしている。
【００２７】
すなわち、図２（ａ）で示すように、取付片２２のガイド片部２２ｂを両側に拡開させながら、これをスライド片１２に上方から嵌挿させれば、図２（ｂ）で示すように、リブ片２２ｃがスライド片１２のガイド片１２ｂの下端に食い込んで、ガイド片１２ｂが落下することなく取付片２２に嵌挿できる。
【００２８】
なお、取付片２２と、スライド片１２の上記形状を逆に形成することもできる。
【００２９】
すなわち、これら抱持部材１や取付部材２の形状は、取付場所や竪樋Ｔの形状に応じて適宜選択され、これに限定されるものではなく、要は、取付片２２とスライド片１２とがスライド自在に連結されており、その一方には、凹凸部１３を備えた長孔１４が形成され、他方にはこの凹凸部１３に係合される係止爪片３１を備えたロックレバー３が一体的に形成されていれば足りる。
【００３０】
ロックレバー３は、変形自在な部材、すなわち、変形させることはできるが、これが変形された後は、変形後の状態を維持し、元の形状に戻らない性質の部材、或いは、バネ性のある部材、すなわち、変形させることができ、これが変形された後は、変形前の状態に戻る性質の部材の何れかを用いて形成することができる。
【００３１】
図１〜図３では、ロックレバー３が変形自在な部材で形成されたものを例示し、これを説明する。
【００３２】
このロックレバー３は、取付片２２の先端に延設された帯板材を、一旦上方に湾曲させた後に下方に延設し、段部３３を介してその途中から下方を細幅に形成すると共に、この下端を折り曲げて操作部３２を形成したものである。
【００３３】
ロックレバー３の段部３３を境目にして上方に形成された太幅の部分は、長孔１４の凹凸部１３の凹部間に圧入して係合される程度の幅に形成された係止爪片３１を構成しており、一方、段部３３を境目にして下方に形成された細幅の部分は、長孔１４の凹凸部１３の凸部間を貫通する程度の幅に形成されたスライド首部３４を構成している。
【００３４】
そのため、長孔１４の凹凸部１３にロックレバー３のスライド首部３４が位置付けられるときには、スライド片１２がスライド可能な状態となり、また、ロックレバー３の係止爪片３１が凹凸部１３に係合されたときには、スライド片１２のスライドがロックされた状態となる。
【００３５】
また、係止爪片３１の下端の段部３３は、下方に向けて狭いテーパー状に形成されており、係止爪片３１を長孔１４の凹凸部１３にスムーズに係合できる。
【００３６】
また、係止爪片３１の片側或いは両側は、鋸刃状に形成することもでき（不図示）、このような鋸刃状に形成すれば、係止爪片３１が長孔１４の凹凸部１３に係合した後は、係止爪片３１の抜け外れを防止でき、スライド片１２と確実に固定できる。
【００３７】
図３（ａ）,（ｂ）は、ロックレバーをロック、アンロック状態に操作したときの要部概略図である。
【００３８】
なお、図１、図２と共通する部材には、共通の符号を付し、その説明は省略している。
【００３９】
このように構成された竪樋支持具Ａの動作を図１〜図３に基づき説明する。
【００４０】
先ず、建物の壁などに取付部材２の取付部２１を釘、ネジ等で固定する。
【００４１】
そして、抱持部材１を取付部材２に対して前、後にスライドさせ、抱持部材１の抱持部１１を所望の位置に決める〔図３（ａ）参照〕。
【００４２】
この位置で、ロックレバー３の操作部３２を下方に向けて引っ張れば、ロックレバー３が変形すると共に、その係止爪片３１は、抱持部材１の長孔１４の側壁に形成された凹凸部１３に強制的に押し込まれて係止される。
【００４３】
このとき、ロックレバー３は、元の形状に戻らない性質の部材であるため、凹凸部１３に係止した状態を維持することができ、抱持部材１のスライドをロックして固定できる〔図３（ｂ）参照〕。
【００４４】
一方、ロックを解除するには、ロックレバー３を先程とは逆方向、つまり、操作部３２を上方に押し上げれば、その係止爪片３１は、抱持部材１の凹凸部１３から離脱されてアンロックとなり、抱持部材１を長孔１４に従って所望の位置にスライドすることができる〔図３（ａ）参照〕。
【００４５】
なお、ロックレバー３がバネ性のある部材で形成された場合では、図３（ｂ）で示された状態から、その操作部３２をバネ性に抗しながら上方に押し上げれば、ロックレバー３が図３（ａ）で示された状態に変形すると共に、抱持部材１を所望の位置にスライドすることができ、その後、ロックレバー３を離せば、そのバネ性によって、その係止爪片３１は、抱持部材１の長孔１４の側壁に形成された凹凸部１３に戻りながら係止され、図３（ｂ）で示された状態となって、抱持部材１のスライドをロックして固定できる。
【００４６】
また、本実施例で示したロックレバー３は、これを取付部材２の下方から操作する場合について説明したが、例えば、図１に示すように、ロックレバー３の一旦上方に湾曲させた部分を操作部３２ａとして利用することもでき、これを取付部材２の上方から押し下げ操作して係止爪片３１を長孔１４の凹凸部１３に係合可能にすることもでき、取付場所に応じてロックレバー３を取付部材２の上、下何れの方向からでも操作することができる。
【００４７】
図４（ａ），（ｂ）は、本発明に係るロックレバーの他の例を示す部分斜視図である。
【００４８】
なお、図１〜図３と共通する部位には、共通の符号を付し、その説明は省略している。
【００４９】
図４（ａ）のロックレバー３は、取付部材２の取付片２２に長穴部２２ｄを開設し、この長穴部２２ｄを係止爪片３１が貫通される構造にしている。
【００５０】
このような長穴部２２ｄを開設すれば、取付片２２の上方からスライド片１２のスライド位置を見易くできる。
【００５１】
図４（ｂ）のロックレバー３は、取付部材２のリブ片２２ｃによらずガイド片１２ｂの落下を防止する構造を示すもので、ここでは、取付部材２のガイド片部２２ｂに一対の貫通穴２２ｅ、２２ｅを形成すると共に、この貫通穴２２ｅに重合される長穴部１２ｃを、スライド片１２のガイド片１２ｂに形成し、これらの貫通穴２２ｅ、長穴部１２ｃにリベット等の軸部材４を幅方向から貫通させる構造にしている。
【００５２】
このような軸部材４を取付片２２に貫通させた構造であっても、この軸部材４がスライド片１２の下端を支持するため、その落下を防止することができる。
【００５３】
【発明の効果】
本発明によれば、次のような効果がある。
【００５４】
請求項１に係る竪樋支持具によれば、スライド片又は取付片の一方には側壁に凹凸部を設けた長孔が形成されると共に、他方には、上記凹凸部に係合される係止爪片を備えたロックレバーが一体的に形成されている。
【００５５】
そのため、ロックレバーを変形させて、その係止爪片を長孔の凹凸部に係合又は離脱させれば、抱持部材を所望の位置にワンタッチで素早く且つ簡単に固定することができる。
【００５６】
また、ロックレバーは、スライド片又は取付片の他方と一体的に形成されているので、ロックレバーを極めて簡易な構造にすることができる。
さらに、ロックレバーに、上方及び下方の方向からでも操作可能な操作部を形成しているので、取付場所に応じてロックレバーを上、下何れからでも容易に操作させることができる。
【００５７】
請求項２に係る竪樋支持具によれば、ロックレバーが変形自在な部材で形成されており、且つ、その係止爪片が長孔の凹凸部と離脱状態に形成されているため、抱持部材を所望の位置にスライドした後、ロックレバーを変形させて、その係止爪片を長孔の凹凸部に係合させ、抱持部材を所望の位置で固定させることができ、請求項１同様の効果を得ることができる。
【００５８】
請求項３に係る竪樋支持具によれば、ロックレバーがバネ性のある部材で形成されており、且つ、その係止爪片が長孔の凹凸部と係止状態に形成されているため、ロックレバーを変形させて、抱持部材を所望の位置にスライドした後、その係止爪片を長孔の凹凸部に係合させ、抱持部材を所望の位置で固定させることができ、請求項１同様の効果を得ることができる。
【００５９】
（削除）
【図面の簡単な説明】
【図 １】本発明に係る竪樋支持具の分解斜視図
【図 ２】組み立てた状態の竪樋支持具の部分縦断面図
【図 ３】（ａ），（ｂ）は、ロックレバーをロック、アンロック状態に操作したときの要部概略図
【図 ４】（ａ），（ｂ）は、本発明に係るロックレバーの他の例を示す部分斜視図
【図 ５】従来の竪樋支持具を示す組立斜視図
【符号の説明】
Ａ      竪樋支持具
Ｔ      竪樋
１      抱持部材
１１    抱持部
１２    スライド片
１３    凹凸部
１４    長孔
２      取付部材
２１    取付部
２２    取付片
３      ロックレバー
３１    係止爪片
３２、３２ａ    操作部
【図１】
0004793771.tif 000002
【図２】
0004793771.tif 000003
【図３】
0004793771.tif 000004
【図４】
0004793771.tif 000005
【図５】
0004793771.tif 000006